(57)【要約】【課題】防犯装置を被着対象となる物品や場所を選ばず容易に着脱可能とし、学校の登下校時ばかりでなく、下校後の外出時等にも常に携行でき、しかも児童が危急の事態に遭遇したときに、防犯ブザーの操作子の操作をより容易に且つ確実に行うことができる防犯装置を提供する。【解決手段】ストラップ部６ｂを有する操作子６の引抜きにより警報音を発報する防犯ブザー３；容部１０ａの開口部１０ｂにストラップ部６ｂを導出させる孔部１０ｄを有するフラップ１０ｃを被設し、背面に帯状部材１０ｅを添設したケース１０；拘止部材１２ａを帯状部材１０ｅに拘止することでケース１０を上下両方向に選択的に保持可能に構成し、係止部材１２ｂにより被着対象物に装着可能とした掛留め具１２；を有する。【選択図】図１
0003129183.tif 000002
【実用新案登録請求の範囲】
【請求項１】
被着者の手首を挿通可能なループ状のストラップ部を有する少なくとも１つ以上の操作子を備え、該操作子の引抜きによって警報音を発報する防犯ブザーと；
容部に上記防犯ブザーを内装するための開口部を有するとともに、該開口部に上記操作子のストラップ部を外部に操作可能に導出させるための孔部を有するフラップを被設し、背面に装着用の帯状部材をその両端を固定することにより添設したケースと；
一端に設けた相対峙する一対の拘止部材を上記ケースの帯状部材の両側部に係脱自在に拘止することにより、該ケースを上下両方向に選択的に保持可能に構成するとともに、その他端に設けた係止部材により被着対象物に対して装着可能とした掛留め具と；
を有することを特徴とする防犯装置。
【請求項２】
上記ケースを、両端に相互に止着する止着片を設けて被着対象物に巻回装着可能にしたベルト状部材に、上記掛留め具の係止部材を係止させることにより、該被着対象物に装着可能とした、
ことを特徴とする請求項１に記載の防犯装置。
【請求項３】
上記ケースのフラップを、その上部開口部の一側を上方に延設して構成した、
ことを特徴とする請求項１又は２に記載の防犯装置。
【請求項４】
上記防犯ブザーに、道路に沿って設置した防犯警報器を作動させるための警報信号を発信する発信器としての機能部分を付設した、
ことを特徴とする請求項１〜３のいずれかに記載の防犯装置。
【考案の詳細な説明】
【技術分野】
【０００１】
本考案は、操作子の操作によって警報音を発報する防犯ブザーを被着対象物に装着可能なケースに内装するとともに、該防犯ブザーの操作子を該ケースの外部に容易に操作可能に導出させた防犯装置に関するものである。
【背景技術】
【０００２】
近年、学校の登下校時に限らず、帰宅後の外出時に児童を狙う事件が数多く発生しており、中には幼い命が犠牲になる痛ましい事件も少なくない。
而して、特に小学校に通学している児童は、体格も小柄で体力的に到底大人に太刀打ちできるものではなく、不審者に付きまとわれたり、連れ去られそうになったりした場合などに、その危急の事態を周囲に知らせて救助を求める手段が必要である。
【０００３】
上記のようなニーズに応えるため、近年、多くの小学校が登下校時に児童に防犯ブザーを持たせるようにしているが、学校から配布される防犯ブザーは、学校の登下校時にランドセルや通学用の手提げ袋に取り付けることを想定したものが主流で、下校後に外出する場合にも常に携行することに配慮したものではないため、ランドセルや手提げ袋に取り付けたまま登下校時にのみ使用され、学校から下校した後の外出時には使用されない場合がほとんどであり、仮に下校後の外出時にランドセルや手提げ袋から取り外して携行した場合でも、身体の周りに無造作にぶらつかせたりするため誤作動の原因となったり、逆に誤作動を防止するためにポケットの中や別途用意したケースや小物入れ等に収納した場合には、防犯ブザーを操作するための操作子がそのケースや小物入れ等の中に隠れてしまい、危急の事態に遭遇したときに防犯ブザーを操作することができないなど、防犯ブザー自体の操作性が損なわれてしまう場合も考えられる。
このように、防犯ブザーの携行性や操作性に対する対策も急務である。
【考案の開示】
【考案が解決しようとする課題】
【０００４】
如上に鑑みて、本考案の技術的課題は、児童が危急の事態に遭遇した場合において、周囲の人々に迅速且つ確実に危急の事態を知らせることができる防犯装置を、ランドセルの側面ベルトや背負いベルト、あるいはズボンのベルト等、被着対象となる物品や場所を選ばず容易に着脱可能とすることにより、学校の登下校時ばかりでなく、下校後の外出時等にも常に携行することができ、しかも、児童が危急の事態に遭遇したときに、上記防犯ブザーの操作子の操作をより容易に且つ確実に行うことができる防犯装置を提供することにある。
【課題を解決するための手段】
【０００５】
上記課題を解決するための本考案の防犯装置は、被着者の手首を挿通可能なループ状のストラップ部を有する少なくとも１つ以上の操作子を備え、該操作子の引抜きによって警報音を発報する防犯ブザーと；容部に上記防犯ブザーを内装するための開口部を有するとともに、該開口部に上記操作子のストラップ部を外部に操作可能に導出させるための孔部を有するフラップを被設し、背面に装着用の帯状部材をその両端を固定することにより添設したケースと；一端に設けた相対峙する一対の拘止部材を上記ケースの帯状部材の両側部に係脱自在に拘止することにより、該ケースを上下両方向に選択的に保持可能に構成するとともに、その他端に設けた係止部材により被着対象物に対して装着可能とした掛留め具と；を有することを特徴とするものである。
【０００６】
本考案の防犯装置の好ましい実施形態においては、上記ケースは、両端に相互に止着する止着片を設けて被着対象物に巻回装着可能にしたベルト状部材に、上記掛留め具の係止部材を係止させることにより、該被着対象物に装着可能に構成される。
また、本考案の防犯装置の他の好ましい実施形態においては、上記ケースのフラップは、その上部開口部の一側を上方に延設して構成される。
さらに、本考案の防犯装置の他の好ましい実施形態においては、上記防犯ブザーに、道路に沿って設置した防犯警報器を作動させるための警報信号を発信する発信器としての機能部分が付設される。
【考案の効果】
【０００７】
以上に詳述した本考案に係る防犯装置は、上記掛留め具の一端に設けた相対峙する一対の拘止部材を上記ケースの帯状部材の両側部に拘止することにより、該ケースを上下両方向に選択的に保持可能に構成するとともに、その他端に設けた係止部材により被着対象物に対して装着可能としているので、当該防犯装置を、被着対象となる物品や場所を選ばず容易に着脱可能であり、したがって、学校の登下校時ばかりでなく、下校後の外出時等にも常に携行することができ、しかも、上記防犯ブザーの操作子を、被着者の手首に挿通可能なループ状のストラップ部を有するものとして構成しているので、児童が危急の事態に遭遇しそうになったときに、そのストラップ部に手首を通しておけば、危急の事態に無意識に腕を動かして防犯ブザーを作動させるなど、上記防犯ブザーの操作子の操作をより容易に且つ確実に行うことができ、延いては、防犯ブザーによる警報音の発報によって、危急の事態を周囲の人々に迅速且つ確実に知らせることができる。
【考案を実施するための最良の形態】
【０００８】
本考案に係る防犯装置を実施するための最良の形態を図面に基いて詳細に説明するに、図１〜図３は本考案に係る防犯装置の実施例を示している。この防犯装置２は、概略的には、警報音を発報する防犯ブザー３を、危急の事態に遭遇したときに、操作子６を容易に操作することが可能な状態で上記ケース１０内に取り出し可能に内装するとともに、該ケース１０を掛留め具１２で被着対象物に装着することにより使用に適した状態で携行することができるように構成したものである。
【０００９】
より具体的には、上記防犯ブザー３は、操作子６の操作によって、該防犯ブザー３のケーシング５に内蔵するブザーを作動させ、周囲に警報音を発報する機能を有するものである。
上記防犯ブザー３の操作子６は、図１及び図２からわかるように、上記ケーシング５の上端部に設けられており、当該防犯ブザー３を作動させるスイッチを構成するピン状の非通電性操作片６ａが挿脱自在に挿入されており、該操作片６ａを抜脱することによって、該防犯ブザー３の警報音を発報するようにしている。また、該操作子６における上記操作片６ａには、当該防犯装置２を装着する被着者の手首を挿通可能なループ状のストラップ部６ｂが連結されている。
【００１０】
上記防犯ブザー３を内装するためのケース１０は、図１〜図３に示すように、該防犯ブザー３を内装するための開口部１０ｂを有する容部１０ａの上部に、該開口部１０ｂの一側を上方に延設したスナップボタン付フラップ１０ｃを設け、該フラップ１０ｃに上記操作子６のストラップ部６ｂを外部に操作可能に導出させるための孔部１０ｄを設け、該フラップ１０ｃをケース１０の開口部１０ｂに開閉自在に被設している。また、該ケース１０における容部１０ａの背面には、被着者が着用しているベルトや鞄等の所持品からなる被着対象物に対して、上記掛留め具１２を介して当該ケース１０を装着するための帯状部材１０ｅが、その両側縁を上記容部１０ａの両側縁に縫着することにより添設されている。即ち、該帯状部材１０ｅは、上記ケース１０における容部１０ａの背面に対してその上下両側部が開放された状態で付設されている。なお、図中の符号１０ｆは、当該防犯ブザー３の警報音を上記ケース１０の内部に隠らせることなく該ケース１０の外部に響かせるための孔部である。
ここで、上記ケース１０の上部の開口部１０ｂは、上述したスナップボタン付フラップ１０ｃにより開閉自在に構成するものに限定されるものではなく、例えば、該ケース１０の上部に設けたファスナーや面ファスナーで開閉自在とした構成とすることもできる。
【００１１】
上記掛留め具１２は、図２及び図３から分かるように、その一端に当該掛留め具１２の長手方向に相対峙する一対の略鉤形の拘止部材１２ａを備え、該拘止部材１２ａを上記ケース１０の背面に付設した帯状部材１０ｅの上下両側部に係脱自在に拘止することにより、図２及び図４に示すように、該ケース１０を上下両方向のいずれに向けた状態においても選択的に保持可能に構成している。また、該掛留め具１２の他端における上記拘止部材１２ａを設けた面と背向する面に、該掛留め具１２の一方の端縁から略鉤形に折曲する係止部材１２ｂを設けることにより、例えば、ランドセルの側面ベルトや背負いベルト、あるいは着衣のベルト等の被着対象物に対して、該係止部材１２ｂを係止するだけで容易に装着することができるようにしている。
上記掛留め具１２は、当該防犯装置２を装着する被着対象物に、該掛留め具１２の係止部材１２ｂを係止させるのに都合のよい部分がない場合に、被着対象物に対して巻回装着できるところの、両端に相互に止着する止着片１４ａを設けたベルト状部材１４に、上記掛留め具１２の係止部材１２ｂを係止させることで、当該防犯装置２を被着対象物における該装置２を装着するのに最適な位置に装着することができる。
【００１２】
ここで、上記ケース１０の帯状部材１０ｅの両側部に掛留め具１２の拘止部材１２ａを着脱自在に拘止するための構成は、上述したものに限定されず、例えば、帯状部材１０ｅの両端縁を該ケース１０の上下端縁に縫着してその両側が開放された状態で付設するとともに、上記掛留め具１２の一対の拘止部材１２ａを、該掛留め具１２の長手方向に直交する方向に相対峙するものとして構成することにより、上記ケース１０の帯状部材１０ｅの両側縁を上記掛留め具１２の一対の拘止部材１２ａで拘止するように構成することもできる。
【００１３】
上記構成の防犯装置２は、例えば、図４に示すように、前記ベルト状部材１４を利用してランドセルの背負いベルト２０に容易に装着することができ、それにより、学校の登下校時において、児童が危急の事態に遭遇しそうになったときに、上記防犯ブザー３の操作子６の操作をより容易に且つ確実に行って、危急の事態を周囲の人々に迅速且つ確実に知らせることができる。
即ち、当該防犯装置２をランドセルの背負いベルトに装着するにあたっては、先ずランドセルの背負いベルトにベルト状部材１４を巻回装着して、該ベルト状部材１４に掛留め具１２の係止部材１２ｂを係止させることにより、該防犯装置２を、上記背負いベルト２０に対してケース１０の開口部１０ｂが下方を向くように保持させ、それにより上記孔部１０ｄが下方を向くので、ケース１０に内装した上記防犯ブザー３のストラップ部６ｂが上記孔部１０ｄから外部に導出された状態で吊下される。而して、被着者（児童）が危急の事態に遭遇しそうになったときに、図４に示すように、該ストラップ部６ｂに被着者（児童）の手首を挿通しておくことにより、実際に危急の事態に至ったときに無意識に腕を動かし、あるいは自らの防衛のために腕を振り回すといった動作をすることによって、上記防犯ブザー３から操作子６の操作片６ａを容易に且つ確実に抜脱することができ、延いては、危急の事態を周囲の人々に迅速且つ確実に知らせることができる。
【００１４】
なお、上記防犯装置２は、上述したランドセルの背負いベルト２０に装着する場合に限定されるものではなく、ランドセルの側面ベルトや、各種鞄類のベルト状部分、あるいは着衣のベルト状部分等の任意の被着対象物に対して、上記掛留め具１２の係止部材１２ｂを係止させ、あるいは該被着対象物に巻回装着したベルト状部材１４に該係止部材１２ｂを係止させることにより、容易に装着することができるものである。また、上記掛留め具１２における係止部材１２ｂを、例えば、被着対象物の任意の場所に係止可能なクリップ状部材で構成することにより、上記ベルト状部分に限らず、被着対象物における当該防犯装置２を装着するのに適した任意の場所に装着可能とすることができる。
また、上記防犯ブザー３における操作子６のストラップ部６ｂは、上述した被着者の手首に挿通する場合に限定されるものではなく、当該防犯装置２を装着する場所に応じて、上記操作子６の操作をするのに最適な適宜の場所に挿通、あるいは連結することができる。
【００１５】
上記構成を有する防犯装置２は、上記掛留め具１２の一端に設けた相対峙する一対の拘止部材１２ａを上記ケース１０の帯状部材１０ｅに拘止することにより、該ケース１０を上下両方向に選択的に保持することができるうえに、該掛留め具１２の他端に設けた係止部材１２ｂにより上記被着対象物に対して容易に装着することができ、しかも、該被着対象物に上記掛留め具１２の係止部材１２ｂを係止させるのに都合のよい部分がない場合には、該被着対象物にベルト状部材１４を巻回装着することにより、上記掛留め具１２の係止部材１２ｂを係止させることができるように構成しているので、当該防犯装置２を、ランドセルの側面ベルトや背負いベルト、あるいは着衣のベルト等、被着対象となる物品や場所を選ばず容易に着脱可能であり、したがって、学校の登下校時ばかりでなく、下校後の外出時等にも常に携行することができ、しかも、上記防犯ブザー３の操作子６を、被着者の手首を挿通可能なループ状のストラップ部６ｂを有するものとして構成しているので、児童が危急の事態に遭遇しそうになったときに、そのストラップ部６ｂに手首を通しておけば、危急の事態に無意識に腕を動かして防犯ブザーを作動させるなど、上記防犯ブザー３の操作子６の操作をより容易に且つ確実に行うことができ、延いては、該防犯ブザー３による警報音の発報によって、危急の事態を周囲の人々に迅速且つ確実に知らせることができる。
また、ここでは上記防犯装置を児童が用いる場合について説明しているが、その使用は児童に限るものではなく、婦女子その他が防犯のために利用できるのは勿論である。
【００１６】
なお、本考案の防犯装置２は、図５に示すように、上記防犯ブザー３の内部に、警報音を発報する防犯ブザーとしての機能部分３Ａと、道路５２に沿って敷設された電柱５１等の屋外構造物上に配置した防犯警報器５０を作動させるための警報信号を発信する発信器としての機能部分３Ｂとを備えるものとして、上記両機能部分３Ａ，３Ｂを単一のケーシング５内に一体的に内蔵させた構成とすることができ、この場合、上記操作子６の操作によって、防犯ブザーの警報音を発報させるとともに、発信器から警報信号を発信して防犯警報器５０を作動させることができるので、危急の事態を周囲の人々により迅速且つ確実に知らせることができる。
ここで、上述の例では、防犯ブザーとしての機能部分３Ａと防犯警報器５０への警報信号の発信器としての機能部分３Ｂとを、単一のケーシング５内に一体的に内蔵した構成としているが、上記機能部分３Ａと機能部分３Ｂとをそれぞれ別々のケーシングに内蔵させることもできる。
【図面の簡単な説明】
【００１７】
【図１】本考案に係る防犯装置の実施例を示す正面図である。
【図２】同側面図である。
【図３】同背面図である。
【図４】本考案に係る防犯装置をランドセルの背負いベルトに装着した場合の態様を説明する外観図である。
【図５】防犯装置に防犯警報器を作動させるための警報信号を発信する発信器としての機能部分を内蔵させた場合の概念的構成図である。
【符号の説明】
【００１８】
２    防犯装置
３    防犯ブザー
３Ａ  機能部分（防犯ブザー）
３Ｂ  機能部分（発信器）
５    ケーシング
６    操作子
６ｂ  ストラップ部
１０    ケース
１０ａ  容部
１０ｂ  開口部
１０ｃ  フラップ
１０ｄ  孔部
１０ｅ  帯状部材
１２    掛留め具
１２ａ  拘止部材
１２ｂ  係止部材
１４    ベルト状部材
１４ａ  止着片
５０    防犯警報器
５２    道路
【図１】
0003129183.tif 000003
【図２】
0003129183.tif 000004
【図３】
0003129183.tif 000005
【図４】
0003129183.tif 000006
【図５】
0003129183.tif 000007